(57)【要約】      （修正有）【課題】サービス提供領域内にユーザー端末が滞在していることを高い確度で判定でき、また、商品又はサービスの注文に関する情報の形式が異なる店においても、確実にサービスを発注できる注文処理システム、注文処理ユニット、注文処理方法及び注文処理プログラムを提供する。【解決手段】注文処理システム１は信号発信機１０を備える。ユーザー端末２０は、サービス提供領域２内にユーザー端末が滞在しているか否かを判断する滞在判断部と、サービス関連情報を取得するサービス関連情報取得部と、サービスの発注を示す発注情報を生成する発注部とを有する。変換処理装置３０は、ユーザー端末から注文制御装置４０へ供給される発注情報を、注文制御装置において処理できる形式に変換する情報変換部を有する。注文制御装置４０は、サービスを受注する。【選択図】図１
2016066158.tif 000002
【特許請求の範囲】
【請求項１】
ユーザーにサービスを提供するサービス提供領域内におけるユーザー端末からの注文を処理する注文制御装置へ前記注文に関する情報を供給する変換処理装置を備える注文処理システムであって、
前記サービス提供領域の少なくとも一部を含む予め定められた範囲に到達すると共に前記サービス提供領域を識別する領域識別子を含む信号を発する信号発信機
を備え、
前記ユーザー端末が、
前記信号の取得を契機として、前記サービス提供領域内に前記ユーザー端末が滞在しているか否かを判断する滞在判断部と、
前記滞在判断部が、前記サービス提供領域内に前記ユーザー端末が滞在していると判断した場合、前記領域識別子に対応づけられ、前記サービスの提供に関連する情報であるサービス関連情報を取得するサービス関連情報取得部と、
前記サービス関連情報取得部が取得した前記サービス関連情報の内容から選択される前記サービスの発注を示す発注情報を生成する発注部と
を有し、
前記変換処理装置が、
前記ユーザー端末から前記注文制御装置へ供給される前記発注情報を前記注文制御装置において処理できる形式に変換する情報変換部
を有し、
前記注文制御装置が、変換された前記発注情報に応じ、前記サービスを受注する注文処理システム。
【請求項２】
前記サービス提供領域が、第１領域と前記第１領域とは異なる第２領域とを有し、
前記信号発信機が、前記信号の強度から前記信号の到達が推定される前記第１領域を含む配置で設けられ、
前記滞在判断部が、前記信号が取得された場合、前記ユーザー端末が前記サービス提供領域内に滞在していると判断する請求項１に記載の注文処理システム。
【請求項３】
前記サービス提供領域が、第１領域と前記第１領域とは異なる第２領域とを有し、
第１の前記信号発信機が、前記信号の強度から前記信号の到達が推定される前記第１領域を含む配置で設けられ、
第２の前記信号発信機が、前記信号の強度から前記信号の到達が推定される前記第２領域を含む配置で設けられ、
前記第１の前記信号発信機が発したと推定される前記信号の強度が、前記第２の前記信号発信機が発したと推定される前記信号の強度より弱く、
前記滞在判断部が、前記第１の前記信号発信機の前記信号が取得された後、前記第２の前記信号発信機の前記信号が取得された場合、前記ユーザー端末が前記サービス提供領域内に滞在していると判断する請求項１に記載の注文処理システム。
【請求項４】
複数の前記信号発信機が、前記信号の強度から前記信号の到達が推定される前記第１領域を含む配置で互いに異なる位置に設けられ、
前記滞在判断部が、前記第１領域において、一の信号発信機が発したと推定される一の信号が取得され、他の信号発信機が発したと推定される他の信号が取得された場合、前記ユーザー端末が前記サービス提供領域内に滞在していると判断する請求項２又は３に記載の注文処理システム。
【請求項５】
複数の前記信号発信機が、前記信号の強度から前記信号の到達が推定される前記第２領域を含む配置で互いに異なる位置に設けられ、
前記滞在判断部が、前記第２領域において、少なくとも１つの前記信号発信機が発したと推定される前記信号が取得された場合、前記ユーザー端末が前記サービス提供領域内に滞在していると判断する請求項２〜４のいずれか１項に記載の注文処理システム。
【請求項６】
前記滞在判断部が、前記信号を予め定められた時間取得し続けた場合、前記サービス提供領域内に前記ユーザー端末が滞在していると判定する請求項１〜５のいずれか１項に記載の注文処理システム。
【請求項７】
前記ユーザー端末が、
前記ユーザー端末の前記サービス提供領域内における存在位置を判定する位置判定部
を更に有し、
前記滞在判断部が、前記存在位置が前記サービス提供領域内である場合、前記サービス提供領域内の前記存在位置に前記ユーザー端末が滞在していると判定する請求項１〜６のいずれか１項に記載の注文処理システム。
【請求項８】
前記注文制御装置が、
受注した前記サービスの会計情報を生成する会計情報生成部
を有し、
前記会計情報に応じ、前記サービスの決済処理を実行する販売情報処理部
を更に備える請求項１〜７のいずれか１項に記載の注文処理システム。
【請求項９】
前記注文制御装置が受注した前記サービスに応じ、前記サービスの提供に要するサービス提供情報を出力する発注出力装置
を更に備える請求項１〜８のいずれか１項に記載の注文処理システム。
【請求項１０】
ユーザーにサービスを提供するサービス提供領域内におけるユーザー端末からの注文を処理する注文制御装置へ前記注文に関する情報を供給する変換処理装置を備える注文処理ユニットであって、
前記サービス提供領域の少なくとも一部を含む予め定められた範囲に到達すると共に前記サービス提供領域を識別する領域識別子を含む信号を発する信号発信機
を備え、
前記ユーザー端末が、
前記信号の取得を契機として、前記サービス提供領域内に前記ユーザー端末が滞在しているか否かを判断する滞在判断部と、
前記滞在判断部が、前記サービス提供領域内に前記ユーザー端末が滞在していると判断した場合、前記領域識別子に対応づけられ、前記サービスの提供に関連する情報であるサービス関連情報を取得するサービス関連情報取得部と、
前記サービス関連情報取得部が取得した前記サービス関連情報の内容から選択される前記サービスの発注を示す発注情報を生成する発注部と
を有し、
前記変換処理装置が、前記ユーザー端末から前記注文制御装置へ供給される前記発注情報を前記注文制御装置において処理できる形式に変換する注文処理ユニット。
【請求項１１】
ユーザーにサービスを提供するサービス提供領域内におけるユーザー端末からの注文を処理する注文制御装置へ前記注文に関する情報を供給する変換処理装置を備える注文処理システムにおいて実行される注文処理方法であって、
前記サービス提供領域の少なくとも一部を含む予め定められた範囲に到達すると共に前記サービス提供領域を識別する領域識別子を含む信号の取得を契機として、前記サービス提供領域内に前記ユーザー端末が滞在しているか否かを判断する滞在判断段階と、
前記滞在判断段階において前記サービス提供領域内に前記ユーザー端末が滞在していると判断された場合、前記領域識別子に対応づけられ、前記サービスの提供に関連する情報であるサービス関連情報を取得するサービス関連情報取得段階と、
前記サービス関連情報取得段階において取得された前記サービス関連情報の内容から選択される前記サービスの発注を示す発注情報を生成する発注段階と、
前記ユーザー端末から前記注文制御装置へ供給される前記発注情報を前記注文制御装置において処理できる形式に変換する情報変換段階と、
前記注文制御装置において、変換された前記発注情報に応じ、前記サービスを受注する段階と
を備える注文処理方法。
【請求項１２】
ユーザーにサービスを提供するサービス提供領域内におけるユーザー端末からの注文を処理する注文制御装置へ前記注文に関する情報を供給する変換処理装置を備える注文処理システムにおいて実行される注文処理プログラムであって、
コンピューターに、
前記サービス提供領域の少なくとも一部を含む予め定められた範囲に到達すると共に前記サービス提供領域を識別する領域識別子を含む信号の取得を契機として、前記サービス提供領域内に前記ユーザー端末が滞在しているか否かを判断する滞在判断機能と、
前記滞在判断機能において前記サービス提供領域内に前記ユーザー端末が滞在していると判断された場合、前記領域識別子に対応づけられ、前記サービスの提供に関連する情報であるサービス関連情報を取得するサービス関連情報取得機能と、
前記サービス関連情報取得機能において取得された前記サービス関連情報の内容から選択される前記サービスの発注を示す発注情報を生成する発注機能と、
前記ユーザー端末から前記注文制御装置へ供給される前記発注情報を前記注文制御装置において処理できる形式に変換する情報変換機能と、
前記注文制御装置において、変換された前記発注情報に応じ、前記サービスを受注する機能と
を実現させる注文処理プログラム。
【発明の詳細な説明】
【技術分野】
【０００１】
本発明は、注文処理システム、注文処理ユニット、注文処理方法、及び注文処理プログラムに関する。特に、本発明は、信号発信機を用い、サービス提供領域にユーザー端末が存在しているか否かを確認したうえでサービスの注文を受け付ける注文処理システム、注文処理ユニット、注文処理方法、及び注文処理プログラムに関する。
【背景技術】
【０００２】
従来、特定のエリア内で商品又はサービスを提供する際の商品又はサービスの注文方法において、特定エリア内の携帯端末に、商品又はサービスに関連する情報を記述した電子メニュー又は電子カタログを提供するステップと、電子メニュー又は電子カタログに記述された商品又はサービスから携帯端末において選択された商品又はサービスの注文情報を受信するステップと、注文を当該注文の提供の未済を示す識別子と共に記憶するステップと、注文された商品又はサービスが提供された後に当該注文に該当する識別子を提供済に変更するステップと、識別子に基づいて注文の内容から利用料金を計算するステップとを有する商品又はサービスの注文方法が知られている（例えば、特許文献１参照。）。特許文献１に記載の商品又はサービスの注文方法によれば、人手を介さずに注文処理ができる。
【先行技術文献】
【特許文献】
【０００３】
【特許文献１】特開２００２−１１７１１９号公報
【発明の概要】
【発明が解決しようとする課題】
【０００４】
しかし、特許文献１に記載されている商品注文システムにおいては、携帯端末等の情報端末が特定エリア内に確実に存在していることの特定が困難な場合があり、また、特定の店舗の特定のサーバーに対してのみしか商品又はサービスを注文することができない。
【０００５】
したがって、本発明の目的は、サービス提供領域内にユーザー端末が滞在していることを高い確度で判定でき、また、商品又はサービスの注文に関する情報の形式が異なる店においても、サービスを確実に発注できる注文処理システム、注文処理ユニット、注文処理方法、及び注文処理プログラムを提供することにある。
【課題を解決するための手段】
【０００６】
本発明は、上記目的を達成するため、ユーザーにサービスを提供するサービス提供領域内におけるユーザー端末からの注文を処理する注文制御装置へ注文に関する情報を供給する変換処理装置を備える注文処理システムであって、サービス提供領域の少なくとも一部を含む予め定められた範囲に到達すると共にサービス提供領域を識別する領域識別子を含む信号を発する信号発信機を備え、ユーザー端末が、信号の取得を契機として、サービス提供領域内にユーザー端末が滞在しているか否かを判断する滞在判断部と、滞在判断部が、サービス提供領域内にユーザー端末が滞在していると判断した場合、領域識別子に対応づけられ、サービスの提供に関連する情報であるサービス関連情報を取得するサービス関連情報取得部と、サービス関連情報取得部が取得したサービス関連情報の内容から選択されるサービスの発注を示す発注情報を生成する発注部とを有し、変換処理装置が、ユーザー端末から注文制御装置へ供給される発注情報を注文制御装置において処理できる形式に変換する情報変換部を有し、注文制御装置が、変換された発注情報に応じ、サービスを受注する注文処理システムが提供される。
【０００７】
また、上記注文処理システムにおいて、サービス提供領域が、第１領域と第１領域とは異なる第２領域とを有し、信号発信機が、信号の強度から信号の到達が推定される第１領域を含む配置で設けられ、滞在判断部が、信号が取得された場合、ユーザー端末がサービス提供領域内に滞在していると判断してもよい。
【０００８】
また、上記注文処理システムにおいて、サービス提供領域が、第１領域と第１領域とは異なる第２領域とを有し、第１の信号発信機が、信号の強度から信号の到達が推定される第１領域を含む配置で設けられ、第２の信号発信機が、信号の強度から信号の到達が推定される第２領域を含む配置で設けられ、第１の信号発信機が発したと推定される信号の強度が、第２の信号発信機が発したと推定される信号の強度より弱く、滞在判断部が、第１の信号発信機の信号が取得された後、第２の信号発信機の信号が取得された場合、ユーザー端末がサービス提供領域内に滞在していると判断してもよい。
【０００９】
また、上記注文処理システムにおいて、複数の信号発信機が、信号の強度から信号の到達が推定される第１領域を含む配置で互いに異なる位置に設けられ、滞在判断部が、第１領域において、一の信号発信機が発したと推定される一の信号が取得され、他の信号発信機が発したと推定される他の信号が取得された場合、ユーザー端末がサービス提供領域内に滞在していると判断してもよい。
【００１０】
また、上記注文処理システムにおいて、複数の信号発信機が、信号の強度から信号の到達が推定される第２領域を含む配置で互いに異なる位置に設けられ、滞在判断部が、第２領域において、少なくとも１つの信号発信機が発したと推定される信号が取得された場合、ユーザー端末がサービス提供領域内に滞在していると判断してもよい。
【００１１】
また、上記注文処理システムにおいて、滞在判断部が、信号を予め定められた時間取得し続けた場合、サービス提供領域内にユーザー端末が滞在していると判定してもよい。
【００１２】
また、上記注文処理システムにおいて、ユーザー端末が、ユーザー端末のサービス提供領域内における存在位置を判定する位置判定部を更に有し、滞在判断部が、存在位置がサービス提供領域内である場合、サービス提供領域内の存在位置にユーザー端末が滞在していると判定してもよい。
【００１３】
また、上記注文処理システムにおいて、注文制御装置が、受注したサービスの会計情報を生成する会計情報生成部を有し、会計情報に応じ、サービスの決済処理を実行する販売情報処理部を更に備えてもよい。
【００１４】
また、上記注文処理システムにおいて、注文制御装置が受注したサービスに応じ、サービスの提供に要するサービス提供情報を出力する発注出力装置を更に備えてもよい。
【００１５】
また、本発明は上記目的を達成するため、ユーザーにサービスを提供するサービス提供領域内におけるユーザー端末からの注文を処理する注文制御装置へ注文に関する情報を供給する変換処理装置を備える注文処理ユニットであって、サービス提供領域の少なくとも一部を含む予め定められた範囲に到達すると共にサービス提供領域を識別する領域識別子を含む信号を発する信号発信機を備え、ユーザー端末が、信号の取得を契機として、サービス提供領域内にユーザー端末が滞在しているか否かを判断する滞在判断部と、滞在判断部が、サービス提供領域内にユーザー端末が滞在していると判断した場合、領域識別子に対応づけられ、サービスの提供に関連する情報であるサービス関連情報を取得するサービス関連情報取得部と、サービス関連情報取得部が取得したサービス関連情報の内容から選択されるサービスの発注を示す発注情報を生成する発注部とを有し、変換処理装置が、ユーザー端末から注文制御装置へ供給される発注情報を注文制御装置において処理できる形式に変換する注文処理ユニットが提供される。
【００１６】
また、本発明は上記目的を達成するため、ユーザーにサービスを提供するサービス提供領域内におけるユーザー端末からの注文を処理する注文制御装置へ注文に関する情報を供給する変換処理装置を備える注文処理システムにおいて実行される注文処理方法であって、サービス提供領域の少なくとも一部を含む予め定められた範囲に到達すると共にサービス提供領域を識別する領域識別子を含む信号の取得を契機として、サービス提供領域内にユーザー端末が滞在しているか否かを判断する滞在判断段階と、滞在判断段階においてサービス提供領域内にユーザー端末が滞在していると判断された場合、領域識別子に対応づけられ、サービスの提供に関連する情報であるサービス関連情報を取得するサービス関連情報取得段階と、サービス関連情報取得段階において取得されたサービス関連情報の内容から選択されるサービスの発注を示す発注情報を生成する発注段階と、ユーザー端末から注文制御装置へ供給される発注情報を注文制御装置において処理できる形式に変換する情報変換段階と、注文制御装置において、変換された発注情報に応じ、サービスを受注する段階とを備える注文処理方法が提供される。
【００１７】
また、本発明は上記目的を達成するため、ユーザーにサービスを提供するサービス提供領域内におけるユーザー端末からの注文を処理する注文制御装置へ注文に関する情報を供給する変換処理装置を備える注文処理システムにおいて実行される注文処理プログラムであって、コンピューターに、サービス提供領域の少なくとも一部を含む予め定められた範囲に到達すると共にサービス提供領域を識別する領域識別子を含む信号の取得を契機として、サービス提供領域内にユーザー端末が滞在しているか否かを判断する滞在判断機能と、滞在判断機能においてサービス提供領域内にユーザー端末が滞在していると判断された場合、領域識別子に対応づけられ、サービスの提供に関連する情報であるサービス関連情報を取得するサービス関連情報取得機能と、サービス関連情報取得機能において取得されたサービス関連情報の内容から選択されるサービスの発注を示す発注情報を生成する発注機能と、ユーザー端末から注文制御装置へ供給される発注情報を注文制御装置において処理できる形式に変換する情報変換機能と、注文制御装置において、変換された発注情報に応じ、サービスを受注する機能とを実現させる注文処理プログラムが提供される。
【発明の効果】
【００１８】
本発明に係る注文処理システム、注文処理ユニット、注文処理方法、及び注文処理プログラムによれば、サービス提供領域内にユーザー端末が滞在していることを高い確度で判定でき、また、商品又はサービスの注文に関する情報の形式が異なる店においても、サービスを確実に発注できる注文処理システム、注文処理ユニット、注文処理方法、及び注文処理プログラムを提供できる。
【図面の簡単な説明】
【００１９】
【図１】本発明の実施の形態に係る注文処理システムの概要図である。
【図２】本発明の実施の形態に係るユーザー端末の機能構成ブロック図である。
【図３】本発明の実施の形態に係る変換処理装置の機能構成ブロック図である。
【図４】本発明の実施の形態に係る注文制御装置の機能構成ブロック図である。
【図５】本発明の実施の形態に係る滞在判断部の判断の概要図である。
【図６】本発明の実施の形態に係る滞在判断部の判断の概要図である。
【図７】本発明の実施の形態に係る変換処理装置の処理の概要図である。
【図８】本発明の実施の形態に係る注文処理システムにおける処理のフロー図である。
【図９】本発明の実施の形態に係る注文処理システムのハードウェア構成図である。
【発明を実施するための形態】
【００２０】
［実施の形態］
図１は、本発明の実施の形態に係る注文処理システムの概要を示す。なお、本実施の形態の説明においては、説明を簡略化するため、１か所のサービス提供領域２、１台の信号発信機１０、及び１台のユーザー端末２０が用いられる形態を例として挙げる場合がある。
【００２１】
［注文処理システム１の概要］
本実施の形態に係る注文処理システム１は、ユーザーが所有するユーザー端末２０がユーザーにサービスを提供するサービス提供領域２内に存在していると判断した場合に、ユーザー端末２０からサービスの注文ができるシステムである。また、注文処理システム１は、互いに異なる形式の情報を取り扱う様々なサービス提供領域にユーザー端末２０が存在している場合であっても、各サービス提供領域内でユーザー端末２０からサービスの注文が確実かつスムーズにできるシステムである。
【００２２】
すなわち、注文処理システム１によれば、サービス提供領域２内においてユーザー自身がサービス提供事業者の従業員を呼ぶこと、当該従業員を介してサービスを注文すること等を要さず、サービス提供領域２内において、ユーザー端末２０を操作するだけでサービス提供事業者が提供するサービスを確実に注文できる。更に、注文処理システム１によれば、様々なサービス提供領域２にユーザー端末２０が滞在している場合であっても、特別な操作をユーザー端末２０に要求せずに、ユーザー端末２０からサービスの注文ができる。したがって、注文処理システム１によれば、互いに異なるサービス提供事業者が提供するサービス提供領域のいずれにユーザー端末２０が存在していたとしても、ユーザーに特別な操作を全く要求せずに、ユーザーはユーザー端末２０を用いてサービスの注文ができる。
【００２３】
具体的に、サービス提供領域２が飲食店の店舗内の領域である場合を説明する。サービス提供領域２には、店舗の入口付近に当該サービス提供領域２を一意に識別する領域識別子を含む信号を発信する信号発信機１０が設置されている。信号発信機１０は、少なくとも到達範囲１２（すなわち、信号発信機１０からの距離が所定の距離以内と推定できる信号強度が存在する領域）内に到達する強度で信号を発信する。なお、到達範囲１２内に信号が到達しているか否か（すなわち、信号発信機１０から信号が到達し得る所定地点までの距離）は、信号発信機１０からの距離と、距離に応じて減衰する信号の強度とから推定できる。また、サービス提供領域２の内部にも信号発信機１４が設置されている。信号発信機１４も、少なくとも到達範囲１６（すなわち、信号発信機１４からの距離が所定の距離以内と推定できる信号強度が存在する領域）内に到達する強度で信号を発信する。なお、到達範囲１２と到達範囲１６とが重ならないように、信号発信機１０と信号発信機１４とは設置される。
【００２４】
ここで、ユーザー端末２０を有するユーザーがサービス提供領域２内に入る場合、ユーザー端末２０は信号発信機１０が発信していると推定される信号の到達範囲１２内に入ることになる。ユーザー端末２０は、到達範囲１２内において、信号発信機１０が発信する信号を取得すると共に、当該信号に含まれる領域識別子を取得する。そして、ユーザー端末２０は、ユーザー端末２０がサービス提供領域２内に滞在しているか否かを判断する。一例として、ユーザー端末２０は、到達範囲１２内にユーザー端末２０が滞在した後、予め定められた時間が経過するまでにサービス提供領域２内に設置されている信号発信機１４が発信していると推定される信号の到達範囲１６内にユーザー端末２０が到達したと判断した場合に、ユーザー端末２０がサービス提供領域２内に滞在していると判断する。
【００２５】
次に、ユーザー端末２０は、領域識別子に対応づけられているメニュー等のサービスの提供に関連する情報であるサービス関連情報を取得する。サービス関連情報は、サービス提供領域２（若しくは、サービス提供領域２を提供するサービス提供事業者が有する他所）に設置され、ユーザー端末２０からのサービスの注文の処理等を実行する注文制御装置４０に格納されている。ユーザー端末２０は、通信網５を介してユーザー端末２０と注文制御装置４０との間で通信される情報の処理等を実行する変換処理装置３０に働きかけ、変換処理装置３０が通信網５を介して注文制御装置４０からサービス関連情報を取得する。そして、変換処理装置３０は、注文制御装置４０から取得したサービス関連情報をユーザー端末２０に供給する。
【００２６】
ここで、変換処理装置３０は、ユーザー端末２０において用いられる情報の形式を注文制御装置４０において処理できる形式に変換すると共に、注文制御装置４０において用いられる情報の形式をユーザー端末２０において処理できる形式に変換する機能を有する。したがって、ユーザー端末２０において用いられる情報の形式と注文制御装置４０において用いられる情報の形式とが異なる場合であっても、注文制御装置４０がユーザー端末２０と注文制御装置４０との間におけるスムーズな情報のやり取りを実現できる。
【００２７】
そして、ユーザー端末２０は、取得したサービス関連情報の内容をユーザーが知覚可能に出力する。例えば、ユーザー端末２０は、サービス関連情報としてのメニューを表示部等に表示することで、ユーザーに飲食物の選択を促す。ユーザー端末２０は、通信網５を介し、ユーザーによって選択されたサービスの発注に関連する発注情報を変換処理装置３０に供給する。変換処理装置３０は、ユーザー端末２０から受け取った発注情報を注文制御装置４０において処理できる形式に変換して、変換した発注情報を注文制御装置４０に供給する。
【００２８】
注文制御装置４０は、変換済みの発注情報を受け取り、発注情報に対応するサービスの提供を受注する。注文制御装置４０は、当該サービス（例えば、ユーザーが所望する飲食物）の提供を指示する情報をキッチンプリンター等の発注出力装置６０に供給する。発注出力装置６０は、当該サービスの提供を指示する情報を出力する。そして、発注出力装置６０から出力される情報に応じ、サービス提供領域２においてサービスの提供に従事する従業員が、ユーザーにサービスを提供する。
【００２９】
また、注文制御装置４０は、受け取った発注情報に応じてユーザーにサービスを提供した場合に、当該サービスの対価に関連する情報をＰＯＳレジ５０に供給する。これにより、注文処理システム１は、サービスに関連する決済処理を実行する。また、注文制御装置４０は、ユーザー端末２０が外部の決済ユニット７０においてサービスに関連する支払処理を実行した場合、変換処理装置３０を介して支払処理を実行した旨を示す情報をユーザー端末２０から取得することもできる。この場合、注文制御装置４０は、取得した情報をＰＯＳレジ５０に供給することで決済処理を実行する。
【００３０】
なお、サービス提供領域２は、例えば、飲食店、レストラン、居酒屋、定食屋、料理店、及び／又は料亭等のユーザーに飲食物等の商品及びサービスを提供する事業者の店舗内の領域である。また、ユーザー端末２０は、ユーザー個人が所有する携帯電話、スマートフォン、小型タブレットＰＣ、及び／又はノートＰＣ等の情報通信端末である。そして、通信網５は、例えば、携帯電話通信網、及び／又はインターネット等である。
【００３１】
［注文処理システム１の詳細］
本実施の形態に係る注文処理システム１は、予め定められた範囲に信号を発信する信号発信機１０と、注文制御装置４０にユーザー端末２０からの注文に関する情報を供給する変換処理装置３０と、サービス提供領域２内におけるユーザー端末２０からの注文を処理する注文制御装置４０と、商品及び／又はサービスの会計情報を処理するＰＯＳレジ５０と、商品及び／又はサービスの提供に要する情報を出力する発注出力装置６０とを備える。また、注文処理システム１は、商品及び／又はサービスの決済を実行する決済ユニット７０を備えることもできる。なお、ＰＯＳレジ５０の一部若しくは全ての機能を注文制御装置４０が有することもできる。また、信号発信機１０と、ユーザー端末２０において実行される機能（例えば、アプリケーションにより実行される機能）と、変換処理装置３０とで注文処理ユニットが構成される。
【００３２】
（信号発信機１０）
信号発信機１０は、サービス提供領域２の少なくとも一部を含む予め定められた範囲に到達すると共にサービス提供領域２を一意に識別する領域識別子（例えば、サービス提供事業者を一意に識別する識別子、当該サービス提供事業者が有する店舗を一意に識別する識別子、及び／又はサービス提供領域２内のテーブル、机、カウンター等の特定の場所を一意に識別する識別子等）を含む信号を発信する。信号発信機１０は、ユーザー端末２０がサービス提供領域２内に滞在しているか否かの確実な判断に資することを目的として、サービス提供領域２に複数、設置することができる。
【００３３】
具体的に、サービス提供領域２が、第１領域と第１領域とは異なる第２領域とを有する場合、信号発信機１０は信号の強度から信号の到達が推定される第１領域、及び／又は信号の強度から信号の到達が推定される第２領域に設置される。なお、第１領域において推定される信号の強度と第２領域において推定される信号の強度とは互いに異なる強度に設定される。例えば、第１領域が、サービス提供領域２内とサービス提供領域２の外部との境界近傍の領域（一例として、サービス提供領域２の出入口近傍）であり、第２領域がサービス提供領域２の内部の領域（すなわち、サービス提供領域２が店舗の場合、店舗内）である場合を説明する（例えば、図１参照。）。
【００３４】
この場合、ユーザー端末２０が通過、及び／又は滞在する第１領域であって、信号の強度から信号の到達が推定される第１領域を含む配置で第１の信号発信機としての信号発信機１０が設置される。これにより、第１領域に位置するユーザー端末２０（若しくは、第１領域に位置するユーザー端末２０のみ）が、信号発信機１０から発せられていると推定できる信号を取得できる。一例として、第１領域は、信号発信機１０からの距離が１ｍ以内と推定できる信号強度が存在する領域である。
【００３５】
また、ユーザー端末２０が滞在する第２領域であって、信号の強度から信号の到達が推定される第２領域を含む配置で第２の信号発信機としての信号発信機１４を設置することで、第２領域に位置するユーザー端末２０（若しくは、第２領域に位置するユーザー端末２０のみ）が、信号発信機１４から発せられていると推定できる信号を取得できる。一例として、第２領域は、信号発信機１４からの距離が５ｍ以内若しくは１ｍを超え５ｍ以内と推定できる信号強度が存在する領域である。なお、信号発信機１４は、信号発信機１０と略同一の構成及び機能を有する。
【００３６】
また、第１領域、及び第２領域の双方に信号発信機を設置する場合、第１領域に設置する第１の信号発信機が発したと推定される信号の強度と、第２領域に設置する第２の信号発信機が発したと推定される信号の強度とが互いに異なるように第１の信号発信機及び第２の信号発信機を設置することもできる。例えば、所定の領域において、第１の信号発信機が発したと推定される信号の強度を第２の信号発信機が発したと推定される信号の強度より弱く（又は強く）なる配置に、第１の信号発信機及び第２の信号発信機を設置できる。また、複数の信号発信機を、第１領域、及び／又は第２領域のそれぞれの互いに異なる位置に設置することもできる。
【００３７】
信号発信機１０は、例えば、小電力無線通信技術を利用したビーコン、又はＢｌｕｅｔｏｏｔｈ（登録商標）、ＮＦＣ等の近距離無線通信等の無線通信技術を用いて構成することができる。
【００３８】
［ユーザー端末２０の構成］
図２は、本発明の実施の形態に係るユーザー端末の機能構成の一例を示す。
【００３９】
ユーザー端末２０は、信号発信機１０が発信する信号を取得する信号取得部２００と、ユーザー端末２０がサービス提供領域２内に滞在しているか否か判断する滞在判断部２０２と、ユーザー端末２０のサービス提供領域２内における位置を判定する位置判定部２０４と、サービス関連情報を取得するサービス関連情報取得部２０６と、外部からの情報の入力を受け付ける入力部２０８と、所定の情報を出力する出力部２１０と、サービスの注文に関連する発注情報を生成する発注部２１２と、外部との通信を実行する端末通信部２１４とを有する。
【００４０】
（信号取得部２００）
信号取得部２００は、信号発信機１０が発信する信号を取得する。信号取得部２００は、当該信号を取得した日時（なお、時分若しくは時分秒を含むことができる）、当該信号を取得し続けている時間、及び／又は信号強度の情報等の付加情報を生成することもできる。信号取得部２００は、取得した信号、及び／又は取得した信号に対応づけた付加情報を滞在判断部２０２、及び／又は位置判定部２０４に供給する。
【００４１】
（滞在判断部２０２）
滞在判断部２０２は、信号取得部２００から信号の供給を受けたことを契機として、サービス提供領域２内にユーザー端末２０が滞在しているか否かを判断する。具体的に、滞在判断部２０２は、当該信号を取得した場合、当該信号を取得し続けた時間が予め定められた時間以上の場合、サービス提供領域２に設置されている複数の信号発信機から１つ以上の信号を取得した場合、サービス提供領域２に設置されている複数の信号発信機から取得する信号の順序が予め定められた順序である場合、又は当該信号を取得した時点における当該信号の強度と当該時点から予め定められた時間が経過した時の当該信号の強度との差が所定の差以内である場合等に、サービス提供領域２内にユーザー端末２０が滞在していると判断する。滞在判断部２０２は、判断結果を示す情報をサービス関連情報取得部２０６に供給する。
【００４２】
なお、滞在判断部２０２における判断方式は様々な方式を採用することができる。以下、滞在判断部２０２における判断方式の例の一部を詳細に説明する。
【００４３】
例えば、滞在判断部２０２は、信号取得部２００から受け取った信号に含まれる領域識別子を抽出し、抽出した領域識別子に対応づけられているサービス提供領域２にユーザー端末２０が滞在していると判断できる。また、サービス提供領域２が第１領域と第２領域とを含む場合であって、第１領域の範囲内であると推定できる信号強度の信号を発信する第１の信号発信機が存在している場合、滞在判断部２０２は、第１領域において信号が取得されたときに、サービス提供領域２内にユーザー端末２０が滞在していると判断できる。また、第２領域の範囲内であると推定できる信号強度の信号を発信する第２の信号発信機が存在している場合、滞在判断部２０２は、第２領域において信号が取得されたときに、サービス提供領域２内にユーザー端末２０が滞在していると判断することもできる。
【００４４】
また、滞在判断部２０２は、第１の信号発信機と第２の信号発信機との双方が設置されている場合、第１の信号発信機の信号が取得された後、予め定められた時間内に第２の信号発信機の信号が取得された場合に、サービス提供領域２内にユーザー端末２０が滞在していると判断することもできる。
【００４５】
また、信号の強度から信号の到達が推定される第１領域を含む配置で複数の信号発信機が互いに異なる位置に設けられている場合であって、信号取得部２００が一の信号発信機と他の信号発信機との双方の信号を取得した場合に、滞在判断部２０２はサービス提供領域２内にユーザー端末２０が滞在していると判断してもよい。すなわち、滞在判断部２０２は、第１領域において、一の信号発信機が発したと推定される一の信号の信号強度と他の信号発信機が発したと推定される他の信号の信号強度との合計が予め定められた強度以上である場合（一例として、一の信号の信号強度と他の信号の信号強度との合計以上の強度である場合）、サービス提供領域２内にユーザー端末２０が滞在していると判断することもできる。
【００４６】
また、信号の強度から信号の到達が推定される第２領域を含む配置で複数の信号発信機が互いに異なる位置に設けられている場合であって、信号取得部２００が第２領域において少なくとも１つの信号発信機が発したと推定される信号を取得した場合、滞在判断部２０２はサービス提供領域２内にユーザー端末２０が滞在していると判断してもよい。例えば、滞在判断部２０２は、第２領域において、一の信号発信機が発したと推定される一の信号の信号強度と他の信号発信機が発したと推定される他の信号の信号強度との合計が予め定められた強度以上である場合（一例として、一の信号の信号強度と他の信号の信号強度との合計以上の強度である場合）、サービス提供領域２内にユーザー端末２０が滞在していると判断することもできる。滞在判断部２０２は、第２領域において複数の信号発信機がそれぞれ発信した信号の信号強度の合計が強いほど、より確実にサービス提供領域２内にユーザー端末２０が滞在していると判断することもできる。
【００４７】
また、複数の信号発信機を所定の位置に配置すると共に、各信号発信機が発したと推定される信号が取得される領域を狭い領域（例えば、信号発信機からの距離が１ｍ以内と推定できる信号強度が存在する領域）に限定し、複数の狭い領域の重畳部分をユーザー端末２０が通過若しくは滞在する領域に対応させることができる。この場合、滞在判断部２０２の判断の精度を大幅に向上させることができる。
【００４８】
また、滞在判断部２０２は、第１の信号発信機が発したと推定される信号の強度と第２の信号発信機が発したと推定される信号の強度との相違に基づいて、サービス提供領域２内にユーザー端末２０が存在しているか否かを判断できる。一例として、第１の信号発信機が発信したと推定される信号の強度が第１の信号発信機から１ｍ未満程度と推定できる領域である第１領域と、第２の信号発信機が発信したと推定される信号の強度が第２の信号発信機から５ｍ以上１０ｍ以下程度と推定できる領域である第２領域とを想定する。そして、例えば、入口やゲート等の比較的狭い領域である第１領域に第１の信号発信機を設置し、店内等の比較的広い領域である第２領域に第２の信号発信機を設置する。この場合、滞在判断部２０２は、第１の信号発信機の信号が取得された後、第２の信号発信機の信号が取得された場合、ユーザー端末２０がサービス提供領域２内に滞在していると判断する。この２段階を経ることより、滞在判断部２０２は、サービス提供領域２内にユーザー端末２０が確実に滞在していると判断できる。
【００４９】
（位置判定部２０４）
位置判定部２０４は、ユーザー端末２０のサービス提供領域２内における存在位置を判定する。位置判定部２０４は、例えば、サービス提供領域２内における位置を示す位置識別子に基づいて、存在位置を判定する。一例として、マトリックス型二次元コード等の位置識別子をサービス提供領域２内の所定の箇所（例えば、テーブル、机、若しくはカウンター等）に予め設置する。そして、ユーザー端末２０の信号取得部２００が位置識別子を取得する。位置判定部２０４は、信号取得部２００が取得した位置識別子に対応づけられているサービス提供領域２内の位置を存在位置として判定する。位置判定部２０４は、判定結果を示す情報を滞在判断部２０２及びサービス関連情報取得部２０６に供給する。
【００５０】
なお、位置判定部２０４は、サービス提供領域２内の所定の箇所に予め配置された信号発信機が発信する当該信号発信機の位置を示す位置信号に基づいて、存在位置を判定することもできる。例えば、位置判定部２０４は、当該信号発信機がユーザー端末２０から半径数十ｃｍ程度以内の領域に存在していると推定できる信号強度の信号が所得されている場合に、存在位置を判定する。
【００５１】
また、位置判定部２０４は、入力部２０８がユーザーから受け付けるサービス提供領域２内の所定の箇所に予め設けられた存在位置を示す情報を用い、存在位置を判定することもできる。例えば、サービス提供領域２内の所定の箇所にテーブル番号、若しくは座席番号等の存在位置を示す情報を予め準備しておく。そして、位置判定部２０４は入力部２０８を介して当該存在位置を示す情報を取得する。そして、位置判定部２０４は、取得した情報を存在位置として判定する。
【００５２】
なお、滞在判断部２０２は、位置判定部２０４から受け取った情報が示す存在位置がサービス提供領域２内であることを示す場合、サービス提供領域２内のその存在位置にユーザー端末２０が滞在していると判定できる。これにより、滞在判断部２０２は、サービス提供領域２内にユーザー端末２０が滞在しているとの判断と、サービス提供領域２内の所定の箇所にユーザー端末２０が位置しているとの判断の双方を用いて判断できるので、サービス提供領域２内にユーザー端末２０が存在していることを高い確度で判断できる。
【００５３】
（サービス関連情報取得部２０６）
サービス関連情報取得部２０６は、滞在判断部２０２が、サービス提供領域２内にユーザー端末２０が滞在していると判断した場合、領域識別子に対応づけられているサービス関連情報をユーザー端末２０に供給する。具体的に、サービス関連情報取得部２０６は、端末通信部２１４及び通信網５を介して変換処理装置３０に領域識別子に対応づけられているサービス関連情報の取得を要求する要求情報を供給する。そして、変換処理装置３０は、この要求情報を受け取った場合、領域識別子に対応づけられているサービス提供領域２のサービス関連情報を、要求情報を供給したユーザー端末２０に供給する。例えば、変換処理装置３０は、領域識別子に対応づけて予めサービス関連情報を格納する格納部を有する（なお、当該格納部に格納されるサービス関連情報は、予め定められたタイミングで更新されることができる。）。そして、変換処理装置３０は、要求情報を受け取った場合、領域識別子に対応するサービス関連情報を当該格納部からユーザー端末２０に供給する。
【００５４】
また、変換処理装置３０は、要求情報を受け取った場合、領域識別子に対応づけられているサービス提供領域２の注文制御装置４０からサービス関連情報を取得することもできる。そして、変換処理装置３０は、通信網５を介し、取得したサービス関連情報をサービス関連情報取得部２０６に供給することもできる。サービス関連情報取得部２０６は、予め格納しているサービス関連情報、若しくは取得したサービス関連情報を出力部２１０に供給する。また、サービス関連情報取得部２０６は、発注部２１２からの働きかけに応じ、サービス関連情報の一部若しくは全部を発注部２１２に供給する。
【００５５】
なお、サービス関連情報取得部２０６は、滞在判断部２０２から受け取った判断結果を示す情報（例えば、ユーザー端末２０がサービス提供領域２内に滞在していることを示す情報）、位置判定部２０４から受け取った存在位置を示す情報、及び／又はユーザー端末２０を一意に識別する情報を要求情報に対応づけて変換処理装置３０に供給することもできる。また、サービス関連情報は、例えば、サービス提供領域２において提供されるサービス内容を示す注文表、メニュー、リスト、カタログ、及び／又は献立等である。
【００５６】
（入力部２０８、出力部２１０）
入力部２０８は、外部からの情報の入力を受け付ける。入力部２０８は、例えば、タッチパネル、音声入力装置等である。入力部２０８は、サービス関連情報の内容からユーザーが選択した商品及び／又はサービスの注文に関連する情報の入力、及び／又はサービス提供領域２の従業員の呼出しを示す情報の入力等を受け付ける。入力部２０８は、受け付けた情報を位置判定部２０４、又は発注部２１２に供給する。
【００５７】
出力部２１０は、サービス関連情報取得部２０６が取得したサービス関連情報を出力する。出力部２１０は、例えば、表示部、又は音声出力部等である。出力部２１０は、サービス関連情報をユーザーに知覚可能に出力する。
【００５８】
（発注部２１２）
発注部２１２は、サービス関連情報取得部２０６が取得したサービス関連情報の内容から選択される商品及び／又はサービスの発注を示す発注情報を生成する。具体的に、発注部２１２は、出力部２１０により出力されるサービス関連情報が示す内容（例えば、料理のメニュー等）から入力部２０８が受け付けた指示に応じて選択される商品及び／又はサービスの発注情報を生成する。また、発注部２１２は、入力部２０８から従業員の呼出しを示す情報を取得した場合、当該情報を含む発注情報を生成する。発注部２１２は、発注情報を端末通信部２１４に供給する。端末通信部２１４は、通信網５を介し、この発注情報を変換処理装置３０に供給する。なお、発注情報は、領域識別子、及び存在位置を示す情報を含むことができる。
【００５９】
［変換処理装置３０の詳細］
図３は、本発明の実施の形態に係る変換処理装置の機能構成の一例を示す。
【００６０】
変換処理装置３０は、ユーザー端末２０及び注文制御装置４０から受け取った情報を所定の形式の情報に変換する情報変換部３００と、外部との通信を実行する変換処理装置側通信部３０２とを有する。
【００６１】
（情報変換部３００）
情報変換部３００は、ユーザー端末２０から注文制御装置４０へ供給される発注情報を注文制御装置４０において処理できる形式に変換する。複数のサービス提供領域が存在し、各サービス提供領域において用いられる注文制御装置４０が異なるメーカーによって製造されている場合、注文制御装置４０それぞれにおいて処理できる情報の形式がメーカーごとに異なる場合がある。特に、第１のサービス提供事業者が提供する第１のサービス提供領域において用いられる注文制御装置４０と、第１のサービス提供事業者と異なる第２のサービス提供事業者が提供する第２のサービス提供領域において用いられる注文制御装置４０とが互いに異なる形式の情報を取り扱う場合、ユーザー端末２０を所有するユーザーが第１のサービス提供領域においてサービスの発注ができたとしても、第２のサービス提供領域においてサービスの発注ができない場合がある。
【００６２】
したがって、本実施の形態では、複数の注文制御装置４０のそれぞれが処理可能な情報の形式が異なる場合であっても、情報変換部３００は、ユーザー端末２０と注文制御装置４０との間の情報のやり取りを実行可能にすることを目的として、ユーザー端末２０から注文制御装置４０へ供給される発注情報を注文制御装置４０において処理できる形式に変換する。例えば、情報変換部３００は、ユーザー端末２０から取得した情報を、ユーザー端末２０が取得した領域識別子で識別されるサービス提供領域２に設置されている注文制御装置４０が処理できる形式の情報に変換する。また、情報変換部３００は、注文制御装置４０から取得した情報を、ユーザー端末２０が処理できる形式の情報に変換する。情報変換部３００は、変換処理装置側通信部３０２を介し、変換した情報を注文制御装置４０又はユーザー端末２０に供給する。
【００６３】
［注文制御装置４０の詳細］
図４は、本発明の実施の形態に係る注文制御装置の機能構成の一例を示す。
【００６４】
注文制御装置４０は、情報変換部３００において変換された発注情報の取得に応じ、サービスを受注する。具体的に、注文制御装置４０は、外部との通信を実行する注文制御装置側通信部４００と、サービス関連情報を格納するサービス関連情報格納部４０２と、発注情報を取得する発注情報取得部４０４と、発注情報に応じた商品及び／又はサービスの提供に要する情報であるサービス提供情報を発注出力装置６０に供給するサービス指示部４０６と、会計情報を生成する会計情報生成部４０８とを有する。
【００６５】
（サービス関連情報格納部４０２）
サービス関連情報格納部４０２は、領域識別子に対応づけてサービス関連情報を格納する。サービス関連情報格納部４０２は、変換処理装置３０からの要求に応じ、変換処理装置３０が取得した要求情報の内容に対応するサービス関連情報を、注文制御装置側通信部４００を介して変換処理装置３０に供給する。変換処理装置３０は、サービス関連情報を格納部に格納する。そして、変換処理装置３０は、ユーザー端末２０から要求情報を受け取った時に、格納しているサービス関連情報を当該ユーザー端末２０において処理可能な形式に変換する。その後、変換処理装置３０は、変換したサービス関連情報をこのユーザー端末２０に供給する。あるいは、変換処理装置３０は、サービス関連情報格納部４０２からサービス関連情報を受け取るたびに、要求情報を供給したユーザー端末２０において処理可能な形式に変換した後、変換したサービス関連情報をこのユーザー端末２０に供給することもできる。なお、サービス関連情報格納部４０２は、サービス関連情報を季節、若しくは日時に対応づけて格納することもできる。
【００６６】
（発注情報取得部４０４）
発注情報取得部４０４は、変換処理装置３０において注文制御装置４０が処理できる形式に変換されたユーザー端末２０からの発注情報を取得する。発注情報取得部４０４は、取得した発注情報をサービス指示部４０６及び会計情報生成部４０８に供給する。
【００６７】
（サービス指示部４０６）
サービス指示部４０６は、発注情報が示すサービスの提供（例えば、飲食物の提供、及び／又は従業員の存在位置への派遣等）を発注出力装置６０に指示する指示情報を生成する。なお、指示情報は、発注情報に含まれる存在位置を示す情報も含むことができる。サービス指示部４０６は、注文制御装置側通信部４００を介し、生成した指示情報を発注出力装置６０に供給する。発注出力装置６０は、注文制御装置４０が受注したサービスに応じ、サービスの提供に要するサービス提供情報を出力する。具体的に、発注出力装置６０は、指示情報を受け取った場合、指示情報の内容をサービス提供情報として出力する。発注出力装置６０は、例えば、サービス提供情報を出力するプリンタ部、若しくは表示部を有する。そして、発注出力装置６０は、プリンタ部からサービス提供情報の内容をプリントアウトするか、若しくは表示部にサービス提供情報の内容を表示する。これにより、サービス提供領域２においてサービスの提供に従事する従業員が、ユーザー端末２０が存在している位置のユーザーに対してサービスの提供を開始する。
【００６８】
（会計情報生成部４０８）
会計情報生成部４０８は、受注したサービスの会計情報を生成する。具体的に、会計情報生成部４０８は、発注情報に含まれるサービスの種類、及び単価等から、ユーザー端末２０において発注されたサービスの提供に要する費用を算出することで会計情報を生成する。また、会計情報生成部４０８は、ユーザー端末２０において発注された商品及び／又はサービスを特定する情報と、特定された商品及び／又はサービスの個数の情報とを会計情報として生成することもできる。会計情報生成部４０８は、注文制御装置側通信部４００を介し、生成した会計情報をＰＯＳレジ５０に供給する。なお、会計情報生成部４０８を、ユーザー端末２０が有することもできる。この場合、ユーザー端末２０において会計情報が生成され、生成された会計情報が、通信網５及び変換処理装置３０を介し、注文制御装置４０に供給される。そして、会計情報を受け取った注文制御装置４０は、その会計情報をＰＯＳレジ５０に供給する。
【００６９】
［ＰＯＳレジ５０］
ＰＯＳレジ５０は、注文制御装置４０から受け取った会計情報に応じ、ユーザーに提供した商品及び／又はサービスの決済処理を実行する。例えば、ＰＯＳレジ５０は、商品及び／又はサービスの提供に要する費用に関する会計情報を受け取った場合、当該会計情報を用いて決済処理を実行する。また、ＰＯＳレジ５０は、ユーザー端末２０において発注された商品及び／又はサービスを特定する情報と、特定された商品及び／又はサービスの個数の情報とからなる会計情報を受け取った場合、商品及び／又はサービスの提供に要する費用を計算した上で決済処理を実行することもできる。ＰＯＳレジ５０が費用の計算を実行する場合、ＰＯＳレジ５０は、算出した費用額を示す情報を注文制御装置４０に供給する。そして、注文制御装置４０は、当該情報をユーザー端末２０に供給する。なお、注文制御装置４０がＰＯＳレジ５０の機能の全てを有する場合、注文制御装置４０が決済処理を実行する。
【００７０】
また、ユーザー端末２０は、外部の決済ユニット７０（例えば、クレジットカード会社等の決済ユニット）を介して決済することもできる。この場合、会計情報生成部４０８は、生成した会計情報をＰＯＳレジ５０ではなく、通信網５及び変換処理装置３０を介し、ユーザー端末２０に供給する。ユーザー端末２０は、受け取った会計情報を用い、決済ユニット７０とユーザー端末２０との間において決済処理を実行する。そして、決済ユニット７０は、決済が完了したことを示す決済済み情報をユーザー端末２０、及び変換処理装置３０に供給する。変換処理装置３０は、通信網５を介し、決済済み情報を注文制御装置４０に供給する。続いて、注文制御装置４０は、決済済み情報をＰＯＳレジ５０に供給する。そして、ＰＯＳレジ５０は、決済済み情報を用いて決済処理を完了させる。
【００７１】
［滞在判断部２０２の処理の例］
図５は、本発明の実施の形態に係る滞在判断部の判断の概要の一例を示す。具体的に図５（ａ）は、２台の信号発信機が設置されている例を示し、図５（ｂ）は、３台の信号発信機が設置されている例を示す。
【００７２】
図５（ａ）のように、２台の信号発信機（信号発信機１０ａ、及び信号発信機１０ｂ）が設置されている場合を説明する。この場合、信号発信機１０ａが発信していると推定される信号の強度が所定以上である到達範囲１２ａと信号発信機１０ｂが発信していると推定される信号の強度が所定以上である到達範囲１２ｂとの重畳部分１８が生じる。ユーザー端末２０が重畳部分１８に位置した場合、信号取得部２００は、信号発信機１０ａと信号発信機１０ｂとの双方から互いに同程度の強度を有する信号を取得する。そして、滞在判断部２０２は、信号取得部２００が、信号発信機１０ａと信号発信機１０ｂとの双方から信号を取得した場合に、ユーザー端末２０が、サービス提供領域２に滞在していると判断する。
【００７３】
一方、滞在判断部２０２は、信号取得部２００が、信号発信機１０ａ若しくは信号発信機１０ｂのいずれか一方、又は双方から信号を取得しなかった場合（すなわち、いずれかの若しくは双方の信号発信機が発したと推定される信号の強度が予め定められた強度より小さい場合）、ユーザー端末２０が到達範囲１２ａ及び／又は到達範囲１２ｂに一時的に進入しただけとみなし、ユーザー端末２０がサービス提供領域２に滞在していないと判断する。
【００７４】
また、図５（ｂ）のように、３台の信号発信機（信号発信機１０ｃ、信号発信機１０ｄ、及び信号発信機１０ｅ）が設置されている場合を説明する。この場合、信号発信機１０ｃが発信していると推定される信号の強度が所定以上である到達範囲１２ｃと信号発信機１０ｄが発信していると推定される信号の強度が所定以上である到達範囲１２ｄと信号発信機１０ｅが発信していると推定される信号の強度が所定以上である到達範囲１２ｅとの重畳部分１８ａが生じる。ユーザー端末２０が重畳部分１８ａに位置した場合、信号取得部２００は、信号発信機１０ｃと信号発信機１０ｄと信号発信機１０ｅの全てからそれぞれ同程度の強度を有する信号を取得する。そして、滞在判断部２０２は、信号取得部２００が、全ての信号発信機から信号を取得した場合に、ユーザー端末２０が、サービス提供領域２に滞在していると判断する。
【００７５】
一方、滞在判断部２０２は、信号取得部２００が、信号発信機１０ｃ、信号発信機１０ｄ、若しくは信号発信機１０ｅのいずれか、又は全てから信号を取得しなかった場合（すなわち、いずれかの若しくはすべての信号発信機が発したと推定される信号の強度が予め定められた強度より小さい場合）、ユーザー端末２０が到達範囲１２ｃ、到達範囲１２ｄ、及び／又は到達範囲１２ｅに一時的に進入しただけ若しくは進入しなかったとみなし、ユーザー端末２０がサービス提供領域２に滞在していないと判断する。
【００７６】
以上より、注文処理システム１は、例えば、重畳部分にサービス提供領域２の出入口を設置（例えば、出入口を含む領域を第１領域に設定できる。）することにより、ユーザー端末２０がサービス提供領域２内に滞在しているか否かを確実に判断できる。また、重畳部分は信号発信機の数、及び／又は各信号発信機間の距離等を調整することで、所望の信号強度の領域に設定できる。
【００７７】
図６は、本発明の実施の形態に係る滞在判断部の判断の概要の一例を示す。なお、図６では、サービス提供領域２内に、複数の机（机５００、机５０２、机５０４、及び机５０６）及び複数の椅子５１０が設置されている例を示す。
【００７８】
図６に示すように、サービス提供領域２内の複数の箇所に信号発信機（信号発信機１５、信号発信機１５ａ、信号発信機１５ｂ、及び信号発信機１５ｃ）が設置されている。信号発信機は、例えば、複数の机のそれぞれに設置されている。そして、信号発信機１５が発信していると推定される信号の強度が所定以上である到達範囲１９ａ、信号発信機１５ａが発信していると推定される信号の強度が所定以上である到達範囲１９ｂ、信号発信機１５ｂが発信していると推定される信号の強度が所定以上である到達範囲１９ｃ、及び信号発信機１５ｃが発信していると推定される信号の強度が所定以上である到達範囲１９ｄによって、サービス提供領域２内の略全ての領域（例えば、第２領域）をカバーしているものとする。
【００７９】
この場合、信号取得部２００は、到達範囲１９ａ乃至到達範囲１９ｄのいずれかの範囲内において少なくとも１つの信号発信機が発信していると推定される信号を取得する。そして、滞在判断部２０２は、信号取得部２００が取得した信号を発する信号発信機が設置され、当該信号発信機が発信していると推定される信号の強度が所定以上である範囲内に、ユーザー端末２０が滞在していると判断する。なお、この場合において、滞在判断部２０２は、信号発信機１５乃至信号発信機１５ｃのいずれか１つの信号発信機から発せられる信号を信号取得部２００が取得している限り、サービス提供領域２内にユーザー端末２０が滞在していると判断することができる。
【００８０】
また、図５に示すように、例えばサービス提供領域２の出入口等の第１領域近傍に複数の信号発信機を配置すると共に、複数の信号発信機を第２領域内に設置することで、滞在判断部２０２は、第１領域を通過すると共に第２領域に滞在しているユーザー端末２０の存在を確実に判断することができる。
【００８１】
［変換処理装置３０の処理の概要］
図７は、本発明の実施の形態に係る変換処理装置の処理の概要の一例を示す。具体的に、図７では、互いに異なる情報の形式を採用している複数の注文制御装置（例えば、注文制御装置４０、注文制御装置４０ａ、・・・注文制御装置４０ｎ）が存在している例を示す。
【００８２】
第１のサービス提供事業者が第１のメーカーの注文制御装置４０を用い、第２のサービス提供事業者が第２のメーカーの注文制御装置４０ａを用い、第ｎのサービス提供事業者が第ｎのメーカーの注文制御装置４０ｎを用いているとする。そして、各メーカーが採用する情報の形式が異なる場合であって、ユーザー端末２０が扱う形式の情報を注文制御装置４０において処理可能である場合に、ユーザー端末２０から注文制御装置４０ａ及び注文制御装置４０ｎに供給される情報は、注文制御装置４０ａ及び注文制御装置４０ｎにおいて処理することができない。
【００８３】
一方、本実施の形態に係る注文処理システム１は、ユーザー端末２０から様々な注文制御装置に供給される情報の形式を、供給先の注文制御装置で処理できる情報の形式に変換する変換処理装置３０を備える。例えば、変換処理装置３０は、ユーザー端末２０から注文制御装置４０ａに供給される情報の形式を、注文制御装置４０ａが処理できる情報の形式に変換する。そして、変換処理装置３０は、変換済みの情報を注文制御装置４０ａに供給する。
【００８４】
したがって、本実施の形態に係る注文処理システム１によれば、互いに異なる情報の形式を採用している注文制御装置が設置されている様々なサービス提供領域（例えば、サービス提供領域２、サービス提供領域２ａ、・・・サービス提供領域２ｎ）にユーザー端末２０が滞在していたとしても、各注文制御装置が処理できる形式の情報をユーザー端末２０から各注文制御装置に供給できる。
【００８５】
（注文処理システム１の処理の流れの概要）
図８は、本発明の実施の形態に係る注文処理システムにおける処理の流れの一例を示す。
【００８６】
まず、サービス提供領域２に設置されている信号発信機１０が発信する領域識別子を含む信号の強度が所定以上の領域である到達範囲１２にユーザー端末２０が進入した場合、信号取得部２００は、信号発信機１０の信号を取得する（ステップ１０のＹｅｓ。以下、ステップを「Ｓ」と表す。）。一方、信号取得部２００が信号発信機１０の信号を取得しない場合、信号取得部２００は、信号発信機１０の信号を取得するまで待機する（Ｓ１０のＮｏ）。次に、信号取得部２００が取得した信号に基づいて、滞在判断部２０２は、ユーザー端末２０がサービス提供領域２内に滞在しているか否か判断する（Ｓ２０）。滞在判断部２０２が、サービス提供領域２内にユーザー端末２０が滞在していないと判断した場合（Ｓ２０のＮｏ）、滞在判断部２０２は、信号取得部２００を制御して、信号取得部２００に信号発信機１０の信号を取得するまで待機させる。
【００８７】
一方、滞在判断部２０２が、ユーザー端末２０がサービス提供領域２内に滞在していると判断した場合（Ｓ２０のＹｅｓ）、サービス関連情報取得部２０６は、端末通信部２１４、通信網５、及び変換処理装置３０を介し、領域識別子に対応づけられている注文制御装置４０からサービス関連情報を取得する（Ｓ３０）。サービス関連情報取得部２０６は、取得したサービス関連情報（例えば、料理のメニュー等）を出力部２１０に出力させる。そして、発注部２１２は、入力部２０８が受け付けたサービス関連情報の内容から選択される商品及び／又はサービスの発注を示す発注情報を生成する。発注部２１２は、生成した発注情報を端末通信部２１４、通信網５、及び変換処理装置３０を介し、注文制御装置４０に供給する（Ｓ４０）。
【００８８】
注文制御装置４０は、受け取った発注情報を取得して、所定の商品及び／又はサービスの注文を受け付ける。注文制御装置４０は、発注情報に基づいて所定の商品及び／又はサービスの提供を指示する指示情報を発注出力装置６０に供給する。発注出力装置６０は、指示情報の内容をサービス提供情報として出力する。サービス提供領域２における従業員は、出力されたサービス提供情報を参照し、ユーザーへの商品及び／又はサービスの提供を準備する。これにより、ユーザー端末２０を所有するユーザーに商品及び／又はサービスが提供される（Ｓ５０）。
【００８９】
次に、会計情報生成部４０８は、発注情報に基づいて、商品及び／又はサービスの提供に要する費用に関する会計情報を生成する。そして、会計情報生成部４０８は、生成した会計情報をＰＯＳレジ５０又はユーザー端末２０に供給する。会計情報がＰＯＳレジ５０に供給された場合、決済処理はＰＯＳレジ５０において実行される（Ｓ６０）。
【００９０】
一方、会計情報がユーザー端末２０に供給された場合、ユーザー端末２０は、外部の決済ユニットにおいて決済処理を実行できる。そして、決済処理が実行された旨を示す情報をユーザー端末２０から通信網５及び変換処理装置３０を介してＰＯＳレジ５０に供給される。ＰＯＳレジ５０は、決済処理が実行された旨を示す情報を受け取った場合、決済処理を完了させる（Ｓ６０）。
【００９１】
図９は、本発明の実施の形態に係る注文処理システムのハードウェア構成の一例を示す。
【００９２】
本発明の実施の形態に係る注文処理システム１は、ＣＰＵ１５００と、グラフィックコントローラ１５２０と、ＲａｎｄｏｍＡｃｃｅｓｓＭｅｍｏｒｙ（ＲＡＭ）、Ｒｅａｄ−ＯｎｌｙＭｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。なお、ＣＰＵ１５００等の構成要素は、１つ以上のＣＰＵ等であって、複数のＣＰＵ等を含んで構成することもできる。
【００９３】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００９４】
また、チップセット１５１０は、記憶装置１５４０と、読込み／書込み装置１５４５と、通信インターフェース１５５０とを接続する。記憶装置１５４０は、注文処理システムのＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバーから所定のプログラムを取得して、取得したプログラムを記憶装置１５４０に格納する。
【００９５】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、タブレット、マイク等の入力装置１５６０は、所定のインターフェースを介してチップセット１５１０と接続する。
【００９６】
記憶装置１５４０に格納される注文処理プログラムは、インターネット等の通信ネットワーク、又は磁気記録媒体、光学記録媒体等の記録媒体を介して記憶装置１５４０に提供される。そして、記憶装置１５４０に格納された注文処理プログラムは、ＣＰＵ１５００により実行される。なお、記録媒体を用いることで、コンピューターに注文処理プログラムをインストールできる。プログラムを格納している記録媒体は、ＣＤ−ＲＯＭやＤＶＤ等の非一過性の記録媒体であってよい。また、注文処理プログラムは、例えば、ユーザー端末２０等においてアプリケーションとして実行されることもできる。
【００９７】
注文処理システム１により実行される注文処理プログラムは、ＣＰＵ１５００に働きかけて、注文処理システム１を、図１から図８にかけて説明した信号発信機１０、信号取得部２００、滞在判断部２０２、位置判定部２０４、サービス関連情報取得部２０６、入力部２０８、出力部２１０、発注部２１２、端末通信部２１４、情報変換部３００、変換処理装置側通信部３０２、注文制御装置側通信部４００、サービス関連情報格納部４０２、発注情報取得部４０４、サービス指示部４０６、会計情報生成部４０８、ＰＯＳレジ５０、発注出力装置６０、及び決済ユニット７０として機能させる。
【００９８】
（実施の形態の効果）
本実施の形態に係る注文処理システム１は、信号発信機１０を備え、信号発信機１０が発信する信号をユーザー端末２０が取得したことを契機としてユーザー端末２０がサービス提供領域２内（例えば、飲食店等の店内）に滞在しているか否かを確実に判断することができる。これにより、注文処理システム１によれば、店内に存在するユーザーからの注文を確実に受注できる。
【００９９】
また、注文処理システム１は、サービス関連情報をユーザー端末２０に供給しサービス関連情報の内容を参照したユーザーがユーザー端末２０から所望のサービスを注文できる。これにより、注文処理システム１によれば、店内において従業員がユーザーの元に来ることを待つことや、騒々しい店内で声を出して従業員を呼ぶことを要さないので、顧客満足度を大幅に向上させることができる。特に、声を出すことにためらいを感じるユーザー（例えば、女性ユーザー）の顧客満足度を大幅に向上させることができる。
【０１００】
また、注文処理システム１は、複数の領域（例えば、第１領域と第２領域との二つの領域）でユーザー端末２０が滞在しているか否かを判断できるので、サービス提供領域２内に実際に存在するユーザー端末２０を確実に把握できる。これにより、本実施の形態に係る注文処理システム１は、信号発信機が発する信号の偽装等の不正に対し、高い信頼性及び良好なセキュリティ性能を発揮することができる。
【０１０１】
また、注文処理システム１は、滞在判断部２０２がサービス提供領域２内にユーザー端末２０が滞在しているか否かを判断すると共に、位置判定部２０４がユーザー端末２０のサービス提供領域２内における存在位置を判定するので、ユーザー端末２０を所有するユーザーがサービス提供領域２内に確実に存在していることを保証することができる。
【０１０２】
そして、注文処理システム１は、様々な情報の形式を各注文制御装置において処理できる形式に変換する変換処理装置３０を備えているので、ユーザー端末２０が様々なサービス提供領域２に滞在していたとしても、変換処理等の実行をユーザーに悟られずに、注文処理等を遂行できる。
【０１０３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。更に、上記した実施形態の技術的要素は、単独で適用されてもよいし、プログラム部品とハードウェア部品とのような複数の部分に分割されて適用されるようにすることもできる。
【符号の説明】
【０１０４】
１  注文処理システム
２、２ａ、２ｎ  サービス提供領域
５  通信網
１０、１０ａ、１０ｂ、１０ｃ、１０ｄ、１０ｅ、１４  信号発信機
１５、１５ａ、１５ｂ、１５ｃ  信号発信機
１２、１２ａ、１２ｂ、１２ｃ、１２ｄ、１２ｅ、１６  到達範囲
１８、１８ａ  重畳部分
１９ａ、１９ｂ、１９ｃ、１９ｄ  到達範囲
２０  ユーザー端末
３０  変換処理装置
４０、４０ａ、４０ｎ  注文制御装置
５０  ＰＯＳレジ
６０  発注出力装置
７０  決済ユニット
２００  信号取得部
２０２  滞在判断部
２０４  位置判定部
２０６  サービス関連情報取得部
２０８  入力部
２１０  出力部
２１２  発注部
２１４  端末通信部
３００  情報変換部
３０２  変換処理装置側通信部
４００  注文制御装置側通信部
４０２  サービス関連情報格納部
４０４  発注情報取得部
４０６  サービス指示部
４０８  会計情報生成部
５００、５０２、５０４、５０６  机
５１０  椅子
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【図１】
2016066158.tif 000003
【図２】
2016066158.tif 000004
【図３】
2016066158.tif 000005
【図４】
2016066158.tif 000006
【図５】
2016066158.tif 000007
【図６】
2016066158.tif 000008
【図７】
2016066158.tif 000009
【図８】
2016066158.tif 000010
【図９】
2016066158.tif 000011